【手続補正書】
【提出日】平成24年1月16日(2012.1.16)
【手続補正１】
【補正対象書類名】明細書
【補正対象項目名】０００８
【補正方法】変更
【補正の内容】
【０００８】
ここに、本願では、インクジェット成像装置（例えばインクジェットプリンタ）内で使用されるコーティングシステムであって、予め装填されている高光沢コーティングインク及び低光沢コーティングインクを利用しその成像装置内で一種類又は複数種類の中間光沢コーティングインクを調合することができるコーティングシステムを提案する。即ち、本発明の好適な実施形態に係るコーティングシステムは、高光沢コーティングインクを供給する高光沢コーティングインク源と、高光沢コーティングインクよりも低レベルの光沢をもたらす低光沢コーティングインクを供給する低光沢コーティングインク源と、両インク源から供給されるコーティングインクを受け取るコーティングモジュールと、を備える。そのコーティングモジュールは、高光沢コーティングインクを受け取り吐出する第１インクジェットノズル群と、低光沢コーティングインクを受け取り吐出する第２インクジェットノズル群と、高，低両光沢コーティングインクを受け取って両者をインク調合部材で混ぜ合わせることにより、高光沢コーディングインクより低レベルだが低光沢コーティングインクより高レベルの光沢をもたらす中間光沢コーティングインクを生成する調合リザーバと、その調合リザーバから中間光沢コーティングインクを受け取り吐出する第３インクジェットノズル群と、を有する。また、コーティングシステムは、上記インク調合部材に電気的に接続され、上記中間光沢コーティングインクの調合データを参照して上記インク調合部材を制御するコントローラをさらに備える。
【手続補正２】
【補正対象書類名】特許請求の範囲
【補正対象項目名】全文
【補正方法】変更
【補正の内容】
【特許請求の範囲】
【請求項１】
高光沢コーティングインクを供給する高光沢コーティングインク源と、高光沢コーティングインクよりも低レベルの光沢をもたらす低光沢コーティングインクを供給する低光沢コーティングインク源と、両インク源から供給されるコーティングインクを受け取るコーティングモジュールと、を備え、
上記コーティングモジュールが、
高光沢コーティングインクを受け取り吐出する第１インクジェットノズル群と、
低光沢コーティングインクを受け取り吐出する第２インクジェットノズル群と、
インク調合部材を内部に有し、高，低両光沢コーティングインクを受け取ってインク調合部材で両者を混ぜ合わせることにより、高光沢コーディングインクより低レベルだが低光沢コーティングインクより高レベルの光沢をもたらす中間光沢コーティングインクを生成するリザーバと、
上記リザーバから中間光沢コーティングインクを受け取り吐出する第３インクジェットノズル群と、
を有し、
上記インク調合部材に電気的に接続され、上記中間光沢コーティングインクの調合データを参照して上記インク調合部材を制御するコントローラをさらに備える、
インクジェット成像装置内で使用されるコーティングシステム。
【請求項２】
請求項１記載のコーティングシステムであって、
上記リザーバに、上記高光沢コーティングインク源に取り外し可能につながる第１開口、上記低光沢コーティングインク供給源に取り外し可能につながる第２開口並びに上記第３インクジェットノズル群につなげうる第３開口が形成されており、更に、
上記第１開口に装着されており、上記高光沢コーティングインク源から上記リザーバに至る高光沢コーティングインク流をその開閉により断続させる第１ディスペンサと、
上記第２開口に装着されており、上記低光沢コーティングインク供給源から上記リザーバに至る低光沢コーティングインク流をその開閉により断続させる第２ディスペンサと、
上記第３開口と上記第３インクジェットノズル群をつなぐ位置にあり、上記リザーバから当該第３インクジェットノズル群に至る中間光沢コーティングインク流をその開閉により断続させるインクジェットノズル側ディスペンサと、
を備えるコーティングシステム。
【請求項３】
請求項２記載のコーティングシステムであって、
複数通りの光沢レベル識別子及びそれに対応する光沢インク調合データを記憶するメモリをさらに備え、
上記コントローラは、上記メモリ並びに第１及び第２ディスペンサに電気的に接続されており、当該メモリ上で光沢レベル識別子のうちいずれかに対応付けて記憶されている光沢インク調合データに従い第１又は第２ディスペンサを開閉させることによって、上記リザーバに至る高光沢コーティングインク流及び低光沢コーティングインク流を断続させる、
コーティングシステム。
【請求項４】
請求項３記載のコーティングシステムであって、上記コントローラが、生成させたい中間光沢コーティングインクの光沢レベルを表す光沢レベル識別子を受け取り、その光沢レベル識別子を用いて上記メモリにアクセスすることにより、その中間光沢コーティングインクに相応する光沢インク調合データを取得するコーティングシステム。
【請求項５】
インクジェット成像装置であって、
画像受け取り表面と、
異なる色のインクをそれぞれ供給する複数のインク源と、
上記インク源の少なくとも１つに接続され、当該インク源から受け取ったインクを上記画像受け取り表面に吐出するプリントヘッドと、
高光沢コーティングインクを供給する高光沢コーティングインク源と、
高光沢コーティングインクよりも低レベルの光沢をもたらす低光沢コーティングインクを供給する低光沢コーティングインク源と、
上記高光沢コーティングインク源および低光沢コーティングインク源から供給されるコーティングインクを受け取るコーティングモジュールと、を備え、
上記コーティングモジュールが、
高光沢コーティングインクを受け取り上記画像受け取り表面に吐出する第１インクジェットノズル群と、
低光沢コーティングインクを受け取り上記画像受け取り表面に吐出する第２インクジェットノズル群と、
インク調合部材を内部に有し、高，低両光沢コーティングインクを受け取ってインク調合部材で両者を混ぜ合わせることにより、高光沢コーディングインクより低レベルだが低光沢コーティングインクより高レベルの光沢をもたらす中間光沢コーティングインクを生成するリザーバと、
上記リザーバから中間光沢コーティングインクを受け取り上記画像受け取り表面に吐出する第３インクジェットノズル群と、
上記インク調合部材に電気的に接続され、上記中間光沢コーティングインクの調合データを参照して上記インク調合部材を制御するコントローラと、を有する、
インクジェット成像装置。
【請求項６】
請求項５記載のインクジェット成像装置であって、
上記リザーバに、上記高光沢コーティングインク源に取り外し可能につながる第１開口、上記低光沢コーティングインク供給源に取り外し可能につながる第２開口並びに上記第３インクジェットノズル群につなげうる第３開口が形成されており、更に、
上記第１開口に装着されており、上記高光沢コーティングインク源から上記リザーバに至る高光沢コーティングインク流をその開閉により断続させる第１ディスペンサと、
上記第２開口に装着されており、上記低光沢コーティングインク供給源から上記リザーバに至る低光沢コーティングインク流をその開閉により断続させる第２ディスペンサと、
上記第３開口と上記第３インクジェットノズル群をつなぐ位置にあり、上記リザーバから当該第３インクジェットノズル群に至る中間光沢コーティングインク流をその開閉により断続させるインクジェットノズル側ディスペンサと、を有する、
インクジェット成像装置。
【請求項７】
請求項６記載のインクジェット成像装置であって、
複数通りの光沢レベル識別子及びそれに対応する光沢インク調合データを記憶するメモリをさらに備え、
上記コントローラは、上記メモリ並びに第１及び第２ディスペンサに電気的に接続されており、当該メモリ上で光沢レベル識別子のうちいずれかに対応付けて記憶されている光沢インク調合データに従い第１又は第２ディスペンサを開閉させることによって、上記リザーバに至る高光沢コーティングインク流及び低光沢コーティングインク流を断続させる、
インクジェット成像装置。
【請求項８】
請求項７記載のインクジェット成像装置であって、上記コントローラが、生成させたい中間光沢コーティングインクの光沢レベルを表す光沢レベル識別子を受け取り、その光沢レベル識別子を用いて上記メモリにアクセスすることにより、その中間光沢コーティングインクに相応する光沢インク調合データを取得する、インクジェット成像装置。
【請求項９】
インクジェット成像装置のコーティングシステムを作動させる方法であって、
高光沢コーティングインクを第１インクジェットノズル群および第１リザーバに供給し、
上記高光沢コーティングインクよりも低レベルの光沢をもたらす低光沢コーティングインクを第２インクジェットノズル群および上記第１リザーバに供給し、
上記第１リザーバ内で、高光沢コーティングインクおよび低光沢コーティングインクを混合して、高光沢コーディングインクより低レベルだが低光沢コーティングインクより高レベルの光沢をもたらす中間光沢コーティングインクを生成し、ここで上記混合は上記中間光沢コーティングインクの調合データを参照して制御され、
上記中間光沢コーティングインクを第３インクジェットノズル群に供給し、
上記高光沢コーティングインク、上記低光沢コーティングインク、および上記中間光沢コーティングインクの少なくとも何れか１つを上記第１、第２および第３インクジェットノズル群からそれぞれ吐出する、
方法。
【請求項１０】
請求項９記載の方法であって、
上記高光沢コーティングインクを第２リザーバに供給し、
上記高光沢コーティングインクよりも低レベルの光沢をもたらす低光沢コーティングインクを第２リザーバに供給し、
上記第２リザーバ内で、高光沢コーティングインクおよび低光沢コーティングインクを混合して、両光沢コーティングインクの間の光沢レベルであって上記中間光沢コーティングインクとは異なる光沢レベルを有する第２中間光沢コーティングインクを生成し、ここで上記混合は上記中間光沢コーティングインクの調合データを参照して制御され、
上記第２中間光沢コーティングインクを第４インクジェットノズル群に供給する、
方法。